(57)【要約】【課題】マルチモータ構造制御回路を提供し、このマルチモータ構造を制御することにより、モータに異常が出現すると、有効時間内に素早く、他のモータを駆動してファンを運転させ、モータの異常を起こすことなく系統が正規に稼動されること。【解決手段】本発明はマルチモータ構造制御回路及び方法に関するもので、第１のモータにより回転速度信号を制御回路に出力させ、この制御回路により当該回転速度信号に異常があると検出した時に、切換信号を第２のモータに出力し、この切換信号に応じて第２のモータを起動するように構成されている。これによりマルチモータ構造のスタンド・バイ運転の目的が達成される。【選択図】　図１
2004007981.tif 000002
【特許請求の範囲】
【請求項１】
単一のファンにおける複数モータアセンブリの構造であって、
回転速度信号を生成する第１のモータと、
前記第１のモータに電気的に接続され、前記回転速度信号を検出し、前記回転速度信号が異常である間、切換信号を出力する制御回路と、
前記制御回路に電気的に接続され、前記切換信号に応答して動作する第２のモータと
を備えた、構造。
【請求項２】
前記第１のモータ及び前記第２のモータにはそれぞれ第１のファン及び第２のファンが構成されている、請求項１に記載の構造。
【請求項３】
前記第１のファン及び前記第２のファンはそれぞれ重ね構造に設計されている、請求項１に記載の構造。
【請求項４】
前記制御回路は、
前記回転速度信号を検出して、これを回転速度電圧値に変換する周波数電圧変換器と、
前記周波数電圧変換器に電気的に接続され、前記回転速度電圧値と参照電圧値とを比較して、前記回転速度電圧値が前記参照電圧値よりも低い時に駆動信号を生成する比較回路と、
前記比較回路に電気的に接続され、前記駆動信号に応じて切換信号を出力する制御切換スイッチと
を備えている、請求項１に記載の構造。
【請求項５】
前記回転速度信号は、く形波信号である、請求項１に記載の構造。
【発明の詳細な説明】
【０００１】
【発明の属する技術分野】
本発明はマルチモータ構造制御回路および方法に関し、特にファンに使用されるマルチモータ構造制御回路及び方法に関する。
【０００２】
【従来の技術】
現今汎用されているブラシレスファンモータの構造は一個のモータに一個の印刷回路板（ＰＣＢ）を整合してなり、この印刷回路上には制御回路があり、モータの回転を制御できるようにしている。
【０００３】
しかしながら、モータが損傷、又は駆動回路が無効になると、使用者はファンの取替えの一途しかなく、系統使用者にとって不便をもたらすばかりでなく、これにより系統の損傷をも来たす場合がある。このために系統使用のデザイナは往往スタンド・バイファンを使用して上記問題の発生を防止していた。ところがこのような方式では空間の浪費を来すばかりでなく、二つのファンの間の制御連絡も容易に問題が発生する。
【０００４】
【発明が解決しようとする課題】
本発明の目的は上記従来の欠点に基づいてマルチモータ構造制御回路を提供し、このマルチモータ構造を制御することにより、モータに異常が出現すると、有効時間内に素早く、他のモータを駆動してファンを運転させ、モータの異常を起こすことなく系統が正規に稼動されることを目的とする。
【０００５】
【課題を解決するための手段】
上記目的を達成するための本発明に係るマルチモータ構造制御回路は、回転速度信号を出力する第１のモータと、この第１のモータに電気的に接続され，前記回転速度信号に異常があると検出されると切換信号を出力する制御回路と、この制御回路に電気的に接続され、前記切換信号に応じて起動する第２のモータとを備えてなることを特徴とするものである。
【０００６】
上記のマルチモータ構造制御回路において、前記第１のモータ及び前記第２のモータにはそれぞれ第１のファン及び第２のファンが構成されていることを特徴とする。
【０００７】
また上記のマルチモータ構造制御回路において、前記第１のファン及び前記第２のファンはそれぞれ重ね構造に設計されていることを特徴とする。
【０００８】
さらに、上記のマルチモータ構造制御回路において、前記制御回路は、前記回転速度信号を検出して、これを回転速度電圧値に変換する周波数電圧変換器と、この周波数電圧変換器に電気的に接続され、前記回転速度電圧値と参照電圧値とを比較して、該回回転速度電圧値が該参照電圧値よりも低い時に駆動信号を生ずる比較回路と、この比較回路に電気的に接続され、前記駆動信号に応じて切換信号を出力する制御切換スイッチとを備えてなることを特徴とする。
【０００９】
また、上記のマルチモータ構造制御回路において、前記回転速度信号はく形波信号であることを特徴とする。
【００１０】
さらに第２の発明として本発明のマルチモータ構造制御方法は、第１のモータを回転させ、回転速度信号を出力するステップと、前記回転速度信号を検出して、この回転速度信号に異常があると検出された時に切換信号を出力するステップと、前記切換信号に応じて第２のモータを起動するステップとを備えてなることを特徴とする。
【００１１】
上記のマルチモータ構造制御方法において、前記第１のモータ及び前記第２のモータにはそれぞれ第１のファン及び第２のファンが構成されてあり、この第１のファン及び第２のファンは重ね構造に設計されてなり、前記回転速度信号はく形波信号であり、前記制御回路は、前記回転速度信号を検出して、これを回転速度電圧値に変換する周波数電圧変換器と、この周波数電圧変換器に電気的に接続され、前記回転速度電圧値と参照電圧値とを比較して該回転速度電圧値が該参照電圧値よりも低い時に駆動信号を生ずる比較回路と、この比較回路に電気的に接続され、前記駆動信号に応じて切換信号を出力する制御切換スイッチとを備えてもよい。
【００１２】
上記のマルチモータ構造制御方法において、マルチモータ構造のファンに応用され、少なくとも第１のモータ及び第２のモータを備えたマルチモータ構造制御回路において、前記第１のモータの異常に応じて前記第２のモータを制御することにより前記ファンを持続的に運転させるようにしてもよい。
【００１３】
上記のマルチモータ構造制御方法において、前記マルチモータ構造制御方法にはさらに制御回路が応用され、この制御回路は前記回転速度信号を検出して、これを回転速度電圧値に変換する周波数電圧変換器と、この周波数電圧変換器に電気的に接続され、前記回転速度電圧値と参照電圧値とを比較して該回転速度電圧値が該参照電圧よりも低い時に駆動信号を生ずる比較回路と、この比較回路に電気的に接続され、前記駆動信号に応じて切換信号を出力する制御切換スイッチとを備えてもよい。
【００１４】
このように上記により限定された本発明のマルチモータ構造制御回路はマルチモータ構造のファンに応用され、このマルチモータ構造は少なくとも第１のモータと第２のモータとを備え、第１のモータが異常を生じた時に、第２のモータを制御して第２のモータが持続的に前記ファンを稼働させる点に特徴がある。
【００１５】
【発明の実施の形態】
以下、本発明の実施の形態について、図面を参照しながら説明する。
【００１６】
図１は本発明のマルチモータ構造を示す見取図である。図において、１１は第１のモータのステータ、１２は第２のモータのステータである。１６は印刷回路であってその上に制御回路が設けられている。また、１４はモータの共通ロータ、１３はファンブレード、１４は共通ロータであり、この共通ロータ１４はファンブレード１３に接続されている。そして、ファンブレード内の円柱壁１５上には磁鉄が設けられてあり、ロータにより生ずる磁界と作用してファンブレードが回転する。
【００１７】
図２は本発明に係る他のマルチモータ構造の見取り図である。２５、２６はロータで二つに分けて対向するように設置されている。第１のモータ及び第２のモータにはそれぞれステータ２１、２２が設けられていると共に、印刷回路板２７上の制御回路によりそれぞれ制御されるファン２３、２４が設けられている。言うまでもなく、印刷回路板も二つに分けることができ、その上にそれぞれのモータに対する制御回路が設けられる。
【００１８】
図３は本発明に係るマルチモータ構造制御回路を示すブロック図である。図において、本発明のマルチモータ構造制御回路は、第１のモータ３１により回転速度信号ＦＧが制御回路３０に出力され、この制御回路３０により該回転速度信号ＦＧに異常があると検出されると、切換信号Ｓ１を第２のモータ３５に出力し、第２のモータ３５を始動する。
【００１９】
ここに、上記第１のモータ３１及び第２のモータ３５はそれぞれ図１又は図２に示されるようなファン構造を構成する。特に図２ではファンは第１のファンと第２のファンとの二つに分けられている。すなわち、本発明のマルチモータ構造は重ね構造に設計され、又は第１のモータ及び第２のモータの重ね構造に設計されている。
【００２０】
図３に示される制御回路３０の周波数電圧変換器３２は回転速度信号ＦＧを検出し、この回転速度信号ＦＧを回転速度電圧値Ｖｓに変換させ、比較器３３によりこれを参照電圧値Ｖｒｅｆと比較し、その結果、回転速度電圧値が参照電圧値Ｖｒｅｆよりも低い場合は駆動信号Ｓ２が発生して制御切換スイッチ３４に送られ、この駆動信号Ｓ２に応じて切換信号Ｓ１が第２のモータ３５に出力される。該回転速度信号はく形波信号である。
【００２１】
図４は本発明に係るマルチモータ構造制御方法のフローチャートである。
【００２２】
先ず制御回路３０により第１のモータを駆動して運転させる（ステップ４１）。
【００２３】
運転中、制御回路３０により時無しに第１のモータより出力された回転速度信号ＦＧを検出する（ステップ４２）。
【００２４】
回転速度信号ＦＧに異常があると、切換信号Ｓ１を発信して、第２のモータの運転を制御する。さもなければ第１のモータ３１は、持続的に運転される（ステップ４３）。
【００２５】
本発明のかなめは一つのファン内に２個以上のモータを備え、これらモータの間は互動可能であることにある。互動可能とはモータの間の動作が独立的又は連続的であることをいう。この独立的とはそれぞれ一個の制御駆動回路を有し、これら同士間は互いに関連せず、一個が温度制御回路であれば、他の一個はディジタル制御回路とすることができる。言うまでもなく、制御方式はさらにＰＷＭ制御又は標準駆動制御方式等に取替えることができる。
【００２６】
三個以上のモータを含む場合は、上記に類推し、ユーザの需要に基づいて異なる設計を提供することができる。また、連続的とは２個のモータ回路において２個のモータ回路が相互に連結してあり、モータ中のいずれが動作するかとは関係なく、接続後の２個のモータはいずれもある回転速度で運転されるが、その中の一モータが外力因子等の原因により回転速度が落ちると、他のモータが總風量を増加し、特性の変化を生じないようにすぐ信号を出力する。
【００２７】
また、本発明の技術的思想から類推して、一つのモータ内に２個の制御駆動回路を設計することができ、それぞれ種種の状況に応じてファンを駆動することができる。例えば、ファンは同時に温度又は湿度を検知することができる。また、同時に煙霧等を検知することができる従来のファンは通常単一の機能しかなく、これでこそ本発明による製品は多種の機能を発揮することができ、その付加価値が向上されている。
【００２８】
本発明はマルチモータ構造制御回路及び方法に関するもので、第１のモータにより回転速度信号を制御回路に出力させ、この制御回路により当該回転速度信号に異常があると検出した時に、切換信号を第２のモータに出力し、この切換信号に応じて第２のモータを起動するように構成されている。これによりマルチモータ構造のスタンド・バイ運転の目的が達成される。
【００２９】
【発明の効果】
上記の図示及び説明により本発明は以下の利点がある。
【００３０】
１．本発明のマルチモータ構造によれば、本発明の回路において、一つのモータに異常が発生しても、他のモータが代わって駆動するのでファンを持続的に運転させることができる。
【００３１】
２．マルチモータ構造の設計により、系統の信頼性を一層向上させることができる。
【００３２】
３．本発明の方法によれば、２個以上のモータ切換制御に適用することができる。
【図面の簡単な説明】
【図１】図１は本発明のマルチモータ構造の見取図（１）である。
【図２】図２は本発明のマルチモータ構造の見取図（２）である。
【図３】図３は本発明のマルチモータ構造の制御回路である。
【図４】図４は本発明のマルチモータ構造制御方法のフローチャートである。
【符号の説明】
１１　第１のモータのステータ
１２　第２のモータのステータ
１３、２３、２４　ファンブレード
１４、２５、２６　ロータ
２１、２２　ステータ
３１　第１のモータ
３２　周波数電圧変換器
３３　比較回路
３５　第２のモータ
３４　制御切換スイッチ
３０　制御回路
【図１】
2004007981.tif 000003
【図２】
2004007981.tif 000004
【図３】
2004007981.tif 000005
【図４】
2004007981.tif 000006